(57)【要約】【課題】電線受け治具で保持されない状態で、作業員が簡単に電線にテープを螺旋巻きできるテープ巻き方法を提供する。【解決手段】円筒状の芯管にテープを巻回しているテープコイルに、前記芯管から突出させた円筒状の把持部を備えたテープ取付具を設け、前記芯管および把持部の連続した中空部に電線群のテープ巻付領域の一端側を貫通し、前記テープコイルのテープの外周端から引き出し、前記電線群のテープ巻付領域の始端側に前記引き出したテープを巻き付けて粘着材で固着し、続いて、前記電線群を移動させずに保持した状態で、前記テープコイルを電線群の他端側へ回転させずに直線状に移動させ、この移動に応じて粘着材を塗布していない前記テープをテープコイルから引き出し、引き出された前記テープは前記電線群の外周に螺旋状に巻き付けられ、該電線群のテープ巻付領域の終端側で前記テープを粘着材で電線群の外周に固着し、該テープの両端を粘着材で電線群に固着して電線群への螺旋巻き状態を保持している。【選択図】図４
2015076346.tif 000002
【特許請求の範囲】
【請求項１】
円筒状の芯管にテープを巻回しているテープコイルに、前記芯管から突出させた筒状の把持部を備えたテープ取付具を設け、
前記芯管および把持部の連続した中空部に電線群のテープ巻付領域の一端側を貫通し、前記テープコイルのテープの外周端から引き出し、前記電線群のテープ巻付領域の始端側に前記引き出したテープを巻き付けて粘着材で固着し、
続いて、前記電線群を移動させずに保持した状態で、前記テープコイルを電線群の他端側へ回転させずに直線状に移動させ、この移動に応じて粘着材を塗布していない前記テープをテープコイルから引き出すと、引き出された前記テープは前記電線群の外周に螺旋状に巻き付けられ、該電線群のテープ巻付領域の終端側で前記テープを粘着材で電線群の外周に固着し、該テープの両端を粘着材で電線群に固着して電線群への螺旋巻き状態を保持している電線群のテープ巻き方法。
【請求項２】
前記テープの内面に粘着材が塗布され、該粘着材の塗布面に剥離紙が貼着されており、電線群の巻付始端側および巻付終端側で前記剥離紙を剥がして粘着材で電線群に固着し、その間は剥離紙を取り付けた状態のままでテープコイルを直線移動して粘着材なしのテープとして電線群に螺旋巻きしており、
または、前記テープコイルのテープは粘着材が塗布されていない非粘着テープからなり、巻付始端側および終端側で粘着材を塗布して電線群に巻き付けて固着している請求項１に記載の電線群のテープ巻き方法。
【請求項３】
請求項１または請求項２のいずれか１項に記載のテープ巻き方法で形成された電線群のテープ巻き構造。
【請求項４】
少なくとも一端が１つのコネクタに接続された仮結束ハーネスからなる請求項３に記載の電線群のテープ巻き構造。
【発明の詳細な説明】
【技術分野】
【０００１】
本発明は電線群のテープ巻き方法およびテープ巻き構造に関し、詳しくは、車両に配索する電線群をテープで連続的に螺旋巻きして結束しているものである。
【背景技術】
【０００２】
従来、複数の電線を結束するためにＰＶＣ等からなるテープを巻き付けているが、該テープの巻き付けは、図７に示すように、ワイヤハーネスの組立作業台（所謂、図板）１００上において、所要間隔をあけて電線受け治具１０１で順次支持されている電線群Ｗに対して作業員が手作業で行っている。即ち、電線群Ｗの両側が前記電線受け治具１０１で支えられている状態で、その間の電線群Ｗにテープ１１０を螺旋巻きしている。該螺旋巻きは用途に応じて隙間をあけないハーフラップ巻き、間隔をあけて結束するだけの荒巻きがなされている。
【０００３】
本出願人は特開平７−２１５５９９号公報で、電線群に対するテープの巻き付けを自動化する装置を提供している。該テープ巻き装置は図８に示すように把持棒２０１に連結した本体２０２内にモータを内蔵し、該モータで回転されるギヤＧにより回転体２０５を旋回運動させ、該回転体２０５と共回転するようにテープ保持体２０６を配置し、該テープ保持体２０６の下方に案内体２０７を配置し、該案内体２０７の切欠２０７ａの中心に電線束を案内する構成としている。モータを駆動して回転体２０５を回転しながら、把持棒２０１を水平を維持しながら一定の移動量で本体２０２を移動させ、テープを一定ピッチで電線束の外周に螺旋状に巻き付けている。
【先行技術文献】
【特許文献】
【０００４】
【特許文献１】特開平７−２１５５９９号公報
【発明の概要】
【発明が解決しようとする課題】
【０００５】
前記図８に示すテープ巻き装置は構造が複雑で高価となる。かつ、モータ、複数のギヤ、回転体、テープを保持したテープ保持体、さらに案内体を本体に取り付けているため、全体重量がかなり大きくなり、把持棒を把持してテープ巻き作業を行うことは作業員に負担となる。
【０００６】
前記のように、従来提案されているテープ巻き装置は、構造が複雑で、重量が大きく取り扱いにくい等の問題があるため、ワイヤハーネスのテープ巻き結束は、図７に示すように作業員が手作業で電線群にテープを巻き付けている。この作業員による電線群に対するテープ巻きは、ワイヤハーネスの組立作業台上で電線受け治具で電線群の両側を支持した状態でテープ巻きがなされている。よって、ワイヤハーネスの組立作業台以外で電線群にテープ巻き作業を行おうとすると、電線群の両側が支持されていないためテープ巻き作業が容易に行えない。そのため、電線群へのテープ巻き作業は電線受け治具で支持されるワイヤハーネスの組立作業台上でのみ行われている。
【０００７】
ワイヤハーネスの組み立ては、一般的に、図９に示すように、１つのコネクタＣに接続される複数の電線を、該１つのコネクタに接続した仮結束ハーネス（サブハーネス）ＳｂＷ／Ｈとして設けている。このサブハーネスは複数の電線は治具で支持されていないため、テープ巻きされておらずバラバラの状態である。
複数の前記サブハーネスをワイヤハーネスの組立作業台上で前記電線受け治具で支持して布線し、布線後に複数のサブハーネスの結束されていないバラバラの電線にテープを巻き付けて本結束し、ワイヤハーネスＷ／Ｈとして組み立てている。
【０００８】
前記のように、ワイヤハーネスの組立作業台上での本結束まで、電線がバラバラの状態のサブハーネスは、搬送時や保管時に電線絡みが発生しやすい問題がある。また、サブハーネスが予めテープ巻き結束されていると、本結束時に複数のサブハーネスを部分的に結束すればよくだけとなり、生産性を高めることができる。
【０００９】
本発明は前記問題に鑑みてなされたもので、ワイヤハーネスの組立作業台上で電線受け治具で電線が支持されていない状態でも、複数の電線群にテープを容易に巻き付けることができるようにすることを課題としている。
【課題を解決するための手段】
【００１０】
前記課題を解決するため、本発明は、円筒状の芯管にテープを巻回しているテープコイルに、前記芯管から突出させた筒状の把持部を備えたテープ取付具を設け、
前記芯管および把持部の連続した貫通穴の中空部に電線群のテープ巻付領域の一端側を貫通し、前記テープコイルのテープの外周端から引き出し、前記電線群のテープ巻付領域の始端側に前記引き出したテープを巻き付けて粘着材で固着し、
続いて、前記電線群を移動させずに保持した状態で、前記テープコイルを電線群の他端側へ回転させずに直線状に移動させ、この移動に応じて粘着材を塗布していない前記テープをテープコイルから引き出すと、引き出された前記テープは前記電線群の外周に螺旋状に巻き付けられ、該電線群のテープ巻付領域の終端側で前記テープを粘着材で電線群の外周に固着し、該テープの両端を粘着材で電線群に固着することで電線群への螺旋巻き状態を保持している電線群へのテープ巻き方法を提供している。
【００１１】
前記テープ取付具の筒状把持部は円筒状が好ましいが多角筒状でもよい。また、該把持部は前記芯管を延在させて一体形成してもよいし、把持部を別体の筒材で形成し、前記芯管に着脱自在に連結してもよい。
【００１２】
前記のように、テープコイルおよび把持部の中空部に電線を貫通させて保持した状態で、テープコイルを直線状に移動させると、芯管に巻回されているテープが螺旋状に巻き戻された状態で引き出され、該テープの先端が電線群の外周に粘着材で螺旋状に固着されているため、電線群の外周に引き出されたテープは連続して螺旋状で電線群に巻き付けられていく。其の際、テープに粘着材が塗布されていると、電線群に接触した位置で固着され、あるいはテープ同士が接触すると固着され、電線群の外周にスムーズに螺旋状に巻き付けられていかないが、テープの両端のみ粘着材で電線群に固着すると、テープコイルを直線状に移動させるだけで電線群に螺旋状に巻き付けていくことができる。
【００１３】
このように、作業員は一方の手で電線群を保持し、他方の手でテープ取付具の把持部を持ってテープコイルを直線に移動させるだけで良いため、電線群の両側を治具で支持していない状態、即ち、空中作業で、電線群にテープを螺旋巻きして結束できる。
【００１４】
前記テープコイルの芯管に巻き付けているテープは、ワイヤハーネス用テープとして汎用されているポリオレフィン系樹脂テープ、不織布や織布からなる布テープ、塩化ビニルテープ等からなるテープが用いられる。
前記テープの内面に粘着材が塗布され、該粘着材の塗布面に剥離紙が貼着されており、電線群の巻付端側で剥離紙を剥がして粘着材で電線群に固着し、その後は剥離紙を取り付けた状態のままでテープコイルを直線移動して粘着材なしのテープとして電線群に螺旋巻きし、巻付終了端側で前記剥離紙を剥がして粘着材で電線群に固着することが好ましい。
または、粘着材が塗布されておらず、よって、剥離紙が貼着されていない非粘着テープのテープコイルを用い、該テープコイルから引き出した巻き付け始端側だけ粘着材を塗布して電線群に巻き付けて固着し、かつ、巻き付け終端側も粘着材を塗布して電線群に巻き付けて固着してもよい。
いずれも場合も、前記巻付終了端側を粘着材で電線群に固着する際に、テープの巻き付けが緩い状態でなされていると、テープを引っ張ることで緩みのない状態に修復した後に、粘着材で固着することができる。
【００１５】
本発明は、前記方法でテープ巻きされて電線群が結束されたテープ巻き構造を提供している。
前記テープ巻きされた電線群は、少なくとも一端が１つのコネクタに接続された仮結束ハーネスからなることが好ましい。
複数の前記仮結束ハーネスを部分的にテープ巻きして本結束しているワイヤハーネスとしてもよい。
なお、複数の仮結束ハーネスをテープで荒巻して結束しておき、これら複数の仮結束ハーネスをコルゲートチューブ内に挿通してもよい。
【発明の効果】
【００１６】
前記のように、本発明の電線群のテープ巻き方法によれば、テープコイルの芯管に筒状の把持部を連続させた簡単な形状のテープ取付具を用い、該テープ取付具の貫通穴の中空に電線群を貫通させ、巻付始端側は粘着材でテープを固着し、この状態でテープ取付具を直線移動させていくと、テープコイルからテープが螺旋状に引き出されて、電線群の外周にテープが自動的に螺旋状に巻き付いていく。これにより、作業員は一方の手で電線群を保持し、他方の手でテープ取付具を移動させるだけで、電線群にテープを螺旋巻きすることができる。
このように、電線群をワイヤハーネスの組立作業台上で電線受け治具で保持していない状態でも、電線群にテープを螺旋巻きすることができる。よって、仮結束ハーネスをテープで結束しておくこともでき、仮結束ハーネスを本結束工程へ運搬する時および保管する時に電線同士が絡まることを防止できる。
【図面の簡単な説明】
【００１７】
【図１】本発明のテープ取付具を示し、（Ａ）は斜視図、（Ｂ）は断面図である。
【図２】本発明で用いるテープの断面図である。
【図３】テープ巻きする仮結束ハーネスを示す図面である。
【図４】（Ａ）〜（Ｅ）は電線群へのテープ巻き工程を示す図面である。
【図５】第２実施形態を示す概略図である。
【図６】第３実施形態を示す概略図である。
【図７】従来例を示す図面である。
【図８】従来のテープ巻付装置を示す図面である。
【図９】従来の仮結束ハーネスを本結束する工程を示す概略図である。
【発明を実施するための形態】
【００１８】
以下、本発明の実施形態を図面を参照して説明する。
図１乃至図４に第１実施形態を示す。
図１に示すように、本発明のテープ取付具１は、円筒状の芯管２にテープ３を巻回して形成しているテープコイル４に対して、前記芯管２の一端を連続して突出させ、作業員がテープ巻き時に把持する把持部５を一体に設けた構成としている。
前記円筒状の芯管２の中空部２ａと把持部５の中空部５ａとは同じ内径ｄとして連通させ、テープ３を巻き付ける複数本の電線１０からなる電線群Ｗの外径Ｄより大きくし、電線群Ｗの外周で芯管２および把持部５がスムーズに移動できる隙間を設け、かつ、電線群Ｗの端末に接続したコネクタを挿通できる大きさとしている。
【００１９】
図２に示すように、芯管２に巻回しているテープ３は一面に粘着材６を塗布して剥離紙７を貼着し、該剥離紙７側を内周として巻回している汎用の粘着テープからなる。テープ３の素材はワイヤハーネス用テープされているものであれば良く、ポリオレフィン系樹脂テープ、不織布や織布に樹脂を含浸した布テープ、塩化ビニルテープ等からなる。
【００２０】
図２に示すテープ３を螺旋巻きで巻き付ける電線群Ｗは各電線１０の一端末を１つのコネクタ１２Ａに接続し、他端末を別のコネクタ１２Ｂ（複数のコネクタに接続する場合、コネクタに接続しない後付け端子がある場合も含む）に接続して仮結束ハーネス１１を構成するものである。なお、仮結束ハーネス１１が他の仮結束ハーネスと結合されずに、単独で自動車に配索される場合には、該仮結束ハーネス１１が本結束ハーネス自体となり、即ち、自動車に配索するワイヤハーネスとなる。
【００２１】
前記テープ３の電線群Ｗへの巻き付けは、電線群Ｗが浸水領域に配索される場合はテープの一部を重ねて隙間なく巻き付けるハーフラップ巻きとし、非浸水領域に配索する場合には大きなピッチで隙間をあけて巻き付ける荒巻きとしているが、保護機能を高める必要がある領域ではハーフラップ巻きとしている。本実施形態ではハーフラップ巻きとしている。
【００２２】
図３に示すように、電群Ｗに巻き付けるテープ３の巻付領域Ｚのうち、巻付始端Ｚａでは剥離紙７を剥がして粘着材６を内面側に露出させ、該粘着材６を電線群Ｗの外周面に固着しながら螺旋状に略一周している。 また、巻付領域Ｚの巻付終端Ｚｂでも同様に、剥離紙７を剥がして粘着材６を内面側に露出させ、該粘着材６を電線群Ｗの外周面に固着しながら螺旋状に一周している。両端を粘着材６で固着した巻付領域Ｚの中間領域Ｚｃでは剥離紙７を剥がさず、剥離紙７を貼着した状態のままで、即ち、非粘着状態として電線群Ｗに巻き付けている。
【００２３】
次に、前記テープコイル４を電線群Ｗの外周に螺旋巻きして結束する方法について図４（Ａ）〜（Ｅ）を参照して説明する。なお、このテープ３の電線群Ｗへの螺旋巻き作業は、電線群Ｗが電線受け治具で支持されていない状態で、作業員が電線群Ｗを一方の手で保持し、他方の手でテープ取付具１を把持して為される。
【００２４】
まず、図４（Ａ）に示すように、テープ取付具１の芯管２および把持部５の連続した中空部２ａ、５ａに、電線群Ｗのテープ巻付領域Ｚの一端Ｚａを貫通し、中間Ｚｂから他端Ｚｃを中空部５ａから引き出す。即ち、テープ取付具１を挟んで、巻付始端Ｚａを図中左側に突出させ、中間Ｚｂおよび巻付終端Ｚｃを図中右側に突出させている。
【００２５】
ついで、図４（Ｂ）に示すように、テープ取付具１のテープコイル４の外周からテープ３を巻付始端Ｚａ側へ引き出し、この引き出したテープ３の巻付始端３ａで剥離紙７を千切って剥がして粘着材６を露出させる。この状態で、テープ３の巻付始端３ａを電線群Ｗの外周面に傾斜させて略１周巻き付けて粘着材６で電線群Ｗの外周面に固着する。
【００２６】
ついで、図４（Ｃ）に示すように、テープ取付具１の把持部５を持って、電線群Ｗと略平行に巻付終端Ｚｂに向けて、図中右方向へ直線状に移動させる。この直線移動の速度は、電線群Ｗに巻き付いているテープ３ｐ１とテープコイル４で巻回されているテープ３ｐ２の間で一定の引っ張り力をかけられ、引き出すテープ３が弛まない状態となる速度である。
【００２７】
前記テープ取付具１の直線移動時に、テープコイル４として円形状に巻回されているテープ３は、連続して円形を描く状態で引き出され、該円形の中央に位置する電線群Ｗの外周に螺旋状に巻き付いていく。其の際、テープ３は剥離紙７を剥がさず、粘着材６を露出させず非粘着テープとしているため、引き出されるテープ３は電線群Ｗに接触しても固着せず、また、引き出されるテープ３が緩んで接触しても互いに固着せず、電線群Ｗの外周面にスムーズに螺旋状に巻き付いていく。即ち、作業員がテープを持って電線群の外周に螺旋状に巻き付けるのでなく、テープ取付具１を直線移動させてテープ３をひきだして行くだけで、引き出されたテープ３は電線群Ｗの外周に自動的に螺旋巻きされる。
かつ、テープ取付具１の移動速度を遅くしてハーフラップ巻きでき、移動速度を早くして荒巻きすることができる。
【００２８】
ついで、図４（Ｄ）に示すように、テープ巻付領域の巻付終端Ｚｂに達すると、テープ３から剥離紙７を剥離して粘着材６を露出させ、電線群Ｗの外周面に固着する。これにより、巻付領域Ｚの全長にわたってテープ３が螺旋巻きできる。
なお、テープ巻き後のテープ取付具１は、巻付終了後のテープ３の剥離紙７を剥離して粘着材６を露出させ、巻回されているテープ３に粘着材６で粘着しておくと、テープコイル４の状態で保持できる。
【００２９】
複数の仮結束ハーネス１１に前記方法でテープ３を巻き付け、該複数の仮結束ハーネスを本結束する場合、図４（Ｅ）に示すように、それぞれテープ３で電線群を結束している仮結束ハーネス同士を粘着テープ３０で部分的に巻き付けて結束すればよく、本結束工程を簡単にすることができる。さらに、粘着テープ３０で部分的にテープ固着する方法に代えて、コルゲートチューブ内に複数のテープで荒巻きした仮結束ハーネスを挿通させてもよい。
【００３０】
図５に第２実施形態を示す。
第２実施形態では、テープ取付具１で芯管２に巻回しているテープは粘着材が塗布されていない非粘着テープとしている。よって、電線群Ｗへの巻付始端と巻付終端では、テープまたは電線群の外周に粘着材６を塗布して固着している。他の構成は第１実施形態と同様であるため、説明を省略する。
【００３１】
図６に第３実施形態を示す。
第３実施形態では、粘着テープを芯管２に巻回したテープコイル４に、別体の筒材からなる把持材５０を着脱自在に連結している。連結部では凹凸係止するなど周知の係止手段を設けている。他の構成は第１実施形態と同様であるため、説明を省略する。
【符号の説明】
【００３２】
１  テープ取付具
２  芯管
３  テープ
４  テープコイル
５  把持部
６  粘着材
７  剥離紙
１０  電線
１１  仮結束ハーネス
Ｗ  電線群
【図１】
2015076346.tif 000003
【図２】
2015076346.tif 000004
【図３】
2015076346.tif 000005
【図４】
2015076346.tif 000006
【図５】
2015076346.tif 000007
【図６】
2015076346.tif 000008
【図７】
2015076346.tif 000009
【図８】
2015076346.tif 000010
【図９】
2015076346.tif 000011